(57)【要約】【課題】使用者が設定した制御条件を、必要な場合に記憶させ、また、必要な場合に呼び出すことを可能にし、利便性を向上させた空調機器を提供する。【解決手段】制御条件を入力する操作部７と、この操作部で入力された制御条件を記憶する記憶部２を備えてなる空調機器において、前記操作部７に、現在の運転状態の制御条件を前記記憶部２に記憶させるための記憶実行スイッチ７ｄと、この記憶実行スイッチ７ｄの操作により前記記憶部２に記憶させた制御条件を呼び出すための記憶呼出スイッチ７ｅとを備えてなる。【選択図】        図１
2004232970.tif 000002
【特許請求の範囲】
【請求項１】
制御条件を入力する操作部と、この操作部で入力された制御条件を記憶する記憶部を備えてなる空調機器において、前記操作部に、現在の運転状態の制御条件を前記記憶部に記憶させるための記憶実行スイッチと、この記憶実行スイッチの操作により前記記憶部に記憶させた制御条件を呼び出すための記憶呼出スイッチとを備えてなることを特徴とする空調機器。
【請求項２】
前記記憶実行スイッチを複数備えてなることを特徴とする請求項１記載の空調機器。
【請求項３】
前記記憶部として、電源をオフにしても記憶を保持できる外部記憶素子を用いてなることを特徴とする請求項１記載の空調機器。
【発明の詳細な説明】
【０００１】
【発明の属する技術分野】
本発明は、除湿機、加湿器、ルームエアコン等の空調機器に関するものである。
【０００２】
【従来の技術】
従来の技術として、タイマーボタンの操作を繰り返すことにより、予め記憶させてある複数のタイマー運転モードを順次選択するようにしてなる空気調和機のリモコン装置において、選択したタイマー運転モードをリモコン装置の記憶部に別途記憶させておき、次回運転ではタイマーボタンを一回操作しただけで、前回記憶させたタイマー運転モードを選択できるようにしたモコン装置がある。（例えば、特許文献１参照）。
【０００３】
【特許文献１】
特許第３２８７４４４号（第１〜２頁、図１〜図２）
【０００４】
【発明が解決しようとする課題】
しかし、前記特許文献１に示されるリモコン装置では、記憶部に記憶されるタイマー運転モードは最後に選択されたタイマー運転モードに限定されており、任意の運転条件を記憶させることはできない。また、単一のタイマー運転モードしか記憶させることができない。更に、電源をオフにした場合、記憶したタイマー運転モードは消去されてしまい、再設定する必要があるなど、利便性は有するものの、充分に満足できるというものではなかった。
本発明は上記問題点を解消する為になされたもので、上記従来技術よりも更に利便性を向上させることができる空調機器を提供することを目的としている。
【課題を解決する為の手段】
【０００５】
本発明に係わる空調機器は、制御条件を入力する操作部と、この操作部で入力された制御条件を記憶する記憶部を備えてなる空調機器において、前記操作部に、現在の運転状態の制御条件を前記記憶部に記憶させるための記憶実行スイッチと、この記憶実行スイッチの操作により前記記憶部に記憶させた制御条件を呼び出すための記憶呼出スイッチとを備えてなるものである。
【０００６】
【発明の実施の形態】
実施の形態１．
以下、本発明の実施の形態１を図面に基づいて説明する。
図１は、本発明の実施の形態１を示す除湿機の構成図である。
図において、電源Ｖ１が付与されるマイクロコンピュータ（以下マイコンという）１は、メモリ２、ＣＰＵ３、入力回路４、出力回路５を有しており、前記メモリ２に記録されたプログラムにより圧縮機、送風ファン、表示装置（いずれも図示せず）等の被制御機器６を制御する制御部として機能する。
操作部７は、強運転や弱運転等の運転モードを設定する運転モード設定スイッチ７ａ、目標湿度を設定するための湿度設定スイッチ７ｂ、入タイマや切タイマを設定するタイマ設定スイッチ７ｃ、現在の運転状態の制御条件を記憶させるための記憶実行スイッチ７ｄ、記憶させた制御条件を呼び出すための記憶呼出スイッチ７ｅを備えている。
また、前記メモリ２は、記憶部としての機能を備え、運転モード、湿度設定値、タイマ設定値などからなる２つの制御条件（以下、それぞれモードＡ、モードＢという）を記憶している。なお、モードＡ、モードＢとも、初期状態では標準値が設定されている。
【０００７】
図２は、本発明の実施の形態１を示す除湿機の制御フローチャートである。
【０００８】
次に図２を用いて実施の形態１の作用について説明する。
図２において、ステップＳ１で処理が開始されると、ステップＳ２で制御条件をモードＡに設定する。ここで、例えば、モードＡの制御条件を、運転モードは「強運転」、湿度設定は「５０％」、タイマ設定は「５時間後オフ」設定とする。ステップＳ３では、使用者が操作部７にて、記憶実行スイッチ７ｄを操作したかを判定する。記憶実行スイッチ７ｄの操作がなかった場合は、ステップＳ５へ移るが、記憶実行スイッチ７ｄの操作があった場合は、ステップＳ４を実行した後にステップＳ５へ移る。ステップＳ４では、現在動作しているモードＡを、モードＢとして記憶する。これによって、モードＢの制御条件は、運転モードは「強運転」、湿度設定は「５０％」、タイマ設定は「５時間後オフ」設定となる。ステップＳ５では、モードＡを継続実行する。
【０００９】
モードＡは、操作部７の運転モード設定スイッチ７ａ、湿度設定スイッチ７ｂ、タイマ設定スイッチ７ｃを操作して適宜設定変更され、モードＡ１へと変更される（ステップＳ６）。ここで、例えば、モードＡ１の制御条件を、運転モードは「結露防止運転」、湿度設定は「６０％」、タイマ設定は「２時間後オフ」設定とする。ステップＳ７では、使用者が操作部７にて、記憶呼出スイッチ７ｅを操作したかどうかを判定する。記憶呼出スイッチ７ｅの操作がなかった場合は、ステップＳ８へと移り、モードＡ１を継続実行するが、記憶呼出スイッチ７ｅの操作があった場合は、ステップＳ９へ移る。ステップＳ９では、制御条件を、メモリ２に記憶していたモードＢを呼び出してモードＢに変更する。モードＢは、前記記憶実行スイッチ７ｄの操作にてモードＡの制御条件が記憶されているため、運転モードは「強運転」、湿度設定は「５０％」、タイマ設定は「５時間後オフ」設定となり、モードＡ１に変更される以前の状態に復帰することとなる。
【００１０】
このように、記憶呼出スイッチ７ｅを操作して、現在の運転状態の運転モード、湿度設定、タイマー設定などの制御条件を任意に記憶させておき、その後、制御条件が変更されても、記憶呼出スイッチ７ｅを操作して、記憶させた制御条件を呼び出すことにより、変更される前の制御条件に復帰させることができる。よって、従来技術のように、最後のタイマー運転モードのみしか記憶、呼び出しできないという不便さを解消することができる。
【００１１】
実施の形態２．
上記実施の形態１では、単一の制御条件を記憶させるようにしているが、これを複数の制御条件の記憶、呼び出しを可能にしてもよい。
【００１２】
図３は、本発明の実施の形態２を示す除湿機の構成図である。
図３において、操作部７は、複数の制御条件を記憶させるために、第１の記憶実行スイッチ７ｄ１と第２の記憶実行スイッチ７ｄ２を有している。メモリ２は複数の制御条件（以下、モードＡ、モードＢ、モードＣという）を記憶可能とする。また、モードＡ、モードＢ、モードＣは、いずれも初期状態では標準値が設定されている。その以外は上記実施の形態１と同一のため説明を省略する。
図４は、本発明の実施の形態２を示す除湿機の制御フローチャートである。なお、同一ステップについては、上記実施の形態１と同一であり、説明を省略する。
【００１３】
ステップＳ３ａでは、いずれかの記憶実行スイッチ７ｄ，７ｅが操作されたかどうかを判定する。記憶実行スイッチの操作がなかった場合には、ステップＳ５へと移るが、操作があった場合、ステップＳ４ａ〜ステップＳ４ｄにおいて、メモリ２内の記憶先選択、記憶処理が行われる。メモリ２内の記憶先選択は第１の記憶実行スイッチ７ｄ１、及び第２の記憶実行スイッチ７ｄ２にて行う。第１の記憶実行スイッチ７ｄ１が操作された場合は、モードＢが記憶先として選択されたことになり（ステップＳ４ａ）、ステップＳ４ｃへと進み、現在動作しているモードＡの動作モードをモードＢとして記憶する。第２の記憶実行スイッチ７ｄ２が操作された場合は、モードＣが記憶先として選択されたことになり（ステップＳ４ｂ）、ステップＳ４ｄへと進み、現在動作しているモードＡの動作モードをモードＣとして記憶する。前記記憶先選択、前記処理を繰り返すことで、複数の制御条件の記憶が可能となる。いずれも選択されなかった場合はＳ５へと移る。
【００１４】
ここで、モードＢの制御条件は、例えば運転モードは「ランドリー運転」、湿度設定は「５５％」、タイマ設定は「４時間後オフ」設定で、モードＣの制御条件は、例えば運転モードは「弱運転」、湿度設定は「７０％」、タイマ設定は「連続運転」設定とする。
ステップＳ７ａでは、記憶呼出スイッチ７ｅが操作されたかどうかを判定する。記憶呼出スイッチ７ｅの操作がなかった場合には、ステップＳ８へと移るが、記憶呼出スイッチ７ｅの操作があった場合は、ステップＳ９ａ〜ステップＳ９ｄにおいて、メモリ２で記憶している制御条件の選択、呼び出し処理が行われる。メモリ２で記憶している制御条件の選択は、記憶呼出スイッチ７ｅにて行う。呼出先としてモードＢが選択された場合（ステップＳ９ａ）は、ステップＳ９ｃへと進み、制御条件をメモリ２に記憶しておいたモードＢに変更する。これによって制御条件は、運転モードは「ランドリー運転」、湿度設定は「５５％」、タイマ設定は「４時間後オフ」設定となる。呼出先としてモードＣが選択された場合（ステップＳ９ｂ）は、ステップＳ９ｄへと進み、制御条件を、メモリ２に記憶しておいたモードＣを呼び出してモードＣに変更する。これによって制御条件は、運転モードは「弱運転」、湿度設定は「７０％」、タイマ設定は「連続運転」設定となる。いずれも選択されなかった場合は、次の処理へと移る。
【００１５】
これによって、複数の制御条件の記憶、呼び出しが選択可能となり、従来技術のように単一の制御条件のみだけではなく、複数の制御条件から、場面に応じた制御条件を選択することが可能となり、利便性を更に向上できる。
【００１６】
実施の形態３．
上記実施の形態１では、記憶実行スイッチ７ｄを操作した後、電源Ｖ１をオフにした場合の動作について特に規定していないが、これを電源Ｖ１をオフした後も記憶を保持できるようにしてもよい。
【００１７】
図５は、本発明の実施の形態３を示す除湿機の構成図である。
図５においては、メモリ２の記憶部に代わり、ＥＥＰＲＯＭ８を外部接続する。ＥＥＰＲＯＭ８は、記憶部としての機能を備え、更に電源Ｖ１のオフによっても記憶を消去されない記憶素子であり、二つの制御条件（以下、それぞれモードＡ、モードＢという）を記憶している。その他同一番号については、実施の形態１と同一であり、説明を省略する。
【００１８】
図６は、本発明の実施の形態３を示す除湿機の制御フローチャートである。なお、同一ステップについては、実施の形態１と同一であり、説明を省略する。
【００１９】
以下、具体例で説明する。
ここで、モードＡの制御条件は、例えば運転モードは「強運転」、湿度設定は「５０％」、タイマ設定は「５時間後オフ」設定であるとする。ステップＳ３にて、記憶実行スイッチ７ｄの操作がなかった場合は、ステップＳ５へと移るが、記憶実行スイッチ７ｄの操作があった場合は、ステップＳ４ｅへと移る。ステップＳ４ｅでは、現在動作しているモードＡをＥＥＰＲＯＭ８内のモードＢとして記憶する。これによって、モードＢの制御条件は、運転モードは「強運転」、湿度設定は「５０％」、タイマ設定は「５時間後オフ」設定となる。ステップＳ５では、モードＡを継続実行する。
【００２０】
モードＡは、操作部７の運転モード設定スイッチ７ａ、湿度設定スイッチ７ｂ、タイマ設定スイッチ７ｃを操作することにより適宜設定変更され、モードＡ１へと変更される（ステップＳ６）。モードＡ１の制御条件は、例えば運転モードは「結露防止運転」、湿度設定は「６０％」、タイマ設定は「２時間後オフ」設定とする。
ステップＳ７では、使用者が操作部７にて、記憶呼出スイッチ７ｅを操作したかを判定する。記憶呼出スイッチ７ｅの操作がなかった場合は、ステップＳ８へと移り、モードＡ１を継続実行するが、記憶呼出スイッチ７ｅの操作があった場合は、ステップＳ９ｅへ移る。ステップＳ９ｅでは、制御条件をＥＥＰＲＯＭ８に記憶していたモードＢに変更する。モードＢは、前記記憶実行スイッチ７ｄの操作にてモードＡの制御条件が記憶されているため、運転モードは「強運転」、湿度設定は「５０％」、タイマ設定は「５時間後オフ」設定となり、モードＡ１に変更される以前の状態に復帰することとなる。また、ＥＥＰＲＯＭ８は電源Ｖ１をオフにした後も記憶を保持できる。
【００２１】
これによって、電源Ｖ１をオフにしても記憶を保持しつづけ、再び電源Ｖ１をオンにした場合に呼び出すことが可能となり、電源Ｖ１をオフするたびに再設定しなければならないという煩雑さを解消できる。
【００２２】
【発明の効果】
本発明によれば、現在の運転状態の制御条件を記憶部に記憶させる記憶実行スイッチと、その記憶された制御条件を呼び出す記憶呼出スイッチを備えていることで、任意の運転状態を記憶して、その呼び出しが可能となり、制御条件の設定が変更された場合でも、以前の運転状態に復帰させることが可能となり、特定の制御条件のみしか記憶、呼び出しできない従来の不便さを解消することができる。
【図面の簡単な説明】
【図１】本発明の実施の形態１を示す除湿機の構成図である。
【図２】本発明の実施の形態１を示す除湿機の制御フローチャートである。
【図３】本発明の実施の形態２を示す除湿機の構成図である。
【図４】本発明の実施の形態２を示す除湿機の制御フローチャートである。
【図５】本発明の実施の形態３を示す除湿機の構成図である。
【図６】本発明の実施の形態３を示す除湿機の制御フローチャートである。
【符号の説明】
１  マイクロコンピュータ
２  メモリ
３  ＣＰＵ
４  入力回路
５  出力回路
６  被制御機器
７  操作部
７ｄ  記憶実行スイッチ
７ｄ１  第１の記憶実行スイッチ
７ｄ２  第２の記憶実行スイッチ
７ｅ  記憶呼出スイッチ
８  ＥＥＰＲＯＭ
【図１】
2004232970.tif 000003
【図２】
2004232970.tif 000004
【図３】
2004232970.tif 000005
【図４】
2004232970.tif 000006
【図５】
2004232970.tif 000007
【図６】
2004232970.tif 000008